(57)【要約】【課題】ライン式記録ヘッドに対向する位置に記録媒体があったとしても、当該ヘッドのメンテナンスを可能とする。【解決手段】プラテンにより支持された記録媒体に対してインクを吐出するライン式の記録ヘッドが搭載されたインクジェット記録装置の前記記録ヘッドに対してメンテナンスを施すライン式記録ヘッドのメンテナンス方法である。画像記録時には、記録ヘッドの吐出面がプラテンに対して対向するように記録ヘッドを支持しているキャリッジを、記録ヘッドのメンテナンス時になると回動させて、記録ヘッドをプラテン上から退避させ、当該プラテン上にメンテナンス用の所定空間を形成してから、記録ヘッドに対するメンテナンスを実行する。【選択図】図１１
2009285898.tif 000002
【特許請求の範囲】
【請求項１】
プラテンにより支持された記録媒体に対してインクを吐出するライン式の記録ヘッドが搭載されたインクジェット記録装置の前記記録ヘッドに対してメンテナンスを施すライン式記録ヘッドのメンテナンス方法であって、
前記インクジェット記録装置は、
前記プラテン上で前記記録ヘッドの延在方向に直交する搬送方向に沿うように前記記録媒体を搬送する搬送装置と、
前記プラテン上で前記記録ヘッドを支持するキャリッジとを備え、
前記キャリッジは、前記記録ヘッドを前記プラテンに対して接離させるように、当該キャリッジの一端部を中心に回動自在となっていて、
画像記録時には、前記記録ヘッドの吐出面が前記プラテンに対して対向するように前記記録ヘッドを支持している前記キャリッジを、前記記録ヘッドのメンテナンス時になると回動させて、前記記録ヘッドを前記プラテン上から退避させ、当該プラテン上にメンテナンス用の所定空間を形成してから、前記記録ヘッドに対するメンテナンスを実行することを特徴とするライン式記録ヘッドのメンテナンス方法。
【請求項２】
請求項１記載のライン式記録ヘッドのメンテナンス方法において、
前記インクジェット記録装置は、
前記記録ヘッドのそれぞれの一端部に接続されて、当該記録ヘッドに対してインクを供給するためのインク供給部を備え、
前記キャリッジは、前記記録ヘッドと前記インク供給部とが接続された一端部側を中心に回動自在となっていることを特徴とするライン式記録ヘッドのメンテナンス方法。
【発明の詳細な説明】
【技術分野】
【０００１】
本発明は、ライン式記録ヘッドのメンテナンス方法に関する。
【背景技術】
【０００２】
従来より、用紙やプラスチック薄板等の記録媒体にインクを吐出して所定の画像を記録するインクジェットプリンタが提案され、実用化されている。インクジェットプリンタには、インクを吐出する記録ヘッドを所定の方向に移動させながら当該記録ヘッドから記録媒体に向けてインクを吐出することにより、所定の画像を記録するシリアル方式と、記録ヘッドを固定し、そのヘッドに対して記録媒体を移動させながら当該記録ヘッドから記録媒体に向けてインクを吐出することにより、所定の画像を記録するライン方式とがある。
【０００３】
ここで、安定したインク吐出を維持するために、いずれの方式であっても記録ヘッドに対して所定のタイミングでメンテナンスを施すようになっている。例えば、シリアル方式の場合には、記録ヘッドをメンテナンスするためのメンテナンスユニットを、記録ヘッドの走査方向における画像記録領域以外に配置して、メンテナンス時においてはメンテナンスユニットまで記録ヘッドを移動させることで、記録ヘッドのメンテナンスを行うようになっている（例えば特許文献１参照）。
【０００４】
一方、ライン方式の場合には、記録媒体の搬送経路を挟んでメンテナンスユニットが記録ヘッドに対向するように配置されていて、記録媒体が搬送されていない状態のときにメンテナンスユニットが記録ヘッドのメンテナンスを行うようになっている（例えば特許文献２参照）。
【特許文献１】特開平７−３２６０２号公報
【特許文献２】特開２００３−１８２１１５号公報
【発明の開示】
【発明が解決しようとする課題】
【０００５】
ところで、記録媒体がロール紙である場合、シリアル方式であるとロール紙が記録ヘッドに対向する位置にあったとしても記録ヘッドがメンテナンスユニットまで移動するためにメンテナンス可能であるが、ライン方式では記録ヘッドとメンテナンスユニットの間にロール紙が介在するためにメンテナンスは不可能である。
【０００６】
そこで、本発明の課題は、ライン式記録ヘッドに対向する位置に記録媒体があったとしても、当該ヘッドのメンテナンスを可能とすることである。
【課題を解決するための手段】
【０００７】
請求項１記載の発明は、
プラテンにより支持された記録媒体に対してインクを吐出するライン式の記録ヘッドが搭載されたインクジェット記録装置の前記記録ヘッドに対してメンテナンスを施すライン式記録ヘッドのメンテナンス方法であって、
前記インクジェット記録装置は、
前記プラテン上で前記記録ヘッドの延在方向に直交する搬送方向に沿うように前記記録媒体を搬送する搬送装置と、
前記プラテン上で前記記録ヘッドを支持するキャリッジとを備え、
前記キャリッジは、前記記録ヘッドを前記プラテンに対して接離させるように、当該キャリッジの一端部を中心に回動自在となっていて、
画像記録時には、前記記録ヘッドの吐出面が前記プラテンに対して対向するように前記記録ヘッドを支持している前記キャリッジを、前記記録ヘッドのメンテナンス時になると回動させて、前記記録ヘッドを前記プラテン上から退避させ、当該プラテン上にメンテナンス用の所定空間を形成してから、前記記録ヘッドに対するメンテナンスを実行することを特徴としている。
【０００８】
請求項２記載の発明は、請求項１記載のライン式記録ヘッドのメンテナンス方法において、
前記インクジェット記録装置は、
前記記録ヘッドのそれぞれの一端部に接続されて、当該記録ヘッドに対してインクを供給するためのインク供給部を備え、
前記キャリッジは、前記記録ヘッドと前記インク供給部とが接続された一端部側を中心に回動自在となっていることを特徴としている。
【発明の効果】
【０００９】
本発明によれば、画像記録時には、記録ヘッドの吐出面がプラテンに対して対向するように記録ヘッドを支持しているキャリッジが、記録ヘッドのメンテナンス時になると回動し、記録ヘッドをプラテン上から退避させ、当該プラテン上にメンテナンス用の所定空間を形成してから、記録ヘッドに対するメンテナンスが実行されるので、プラテン上に記録媒体があったとしても、記録ヘッドの下方にメンテナンス用の空間を確保することができる。これにより、記録媒体を取り除かなくとも記録ヘッドのメンテナンスが可能となる。
また、インク供給部と接続された一端部側を中心にキャリッジが回動するために、メンテナンス時においては他端部側がプラテンから離れることになる。つまり、プラテンが水平に配置されている場合には、インク供給部と接続された一端部側が他端部側よりも下方に位置することになるため、記録ヘッドのノズルからインクが漏れ出て記録媒体を汚してしまうことを防止することができる。
【発明を実施するための最良の形態】
【００１０】
以下、本実施形態のライン式記録ヘッドのメンテナンス方法について説明する。このメンテナンス方法は、ライン式のインクジェット記録装置に適用されるものであり、まずはインクジェット記録装置について説明する。図１はインクジェット記録装置の概略構成を示す斜視図であり、図２は側面図である。図１及び図２に示すように、インクジェット記録装置１には、記録媒体Ｐ（図１１参照）を支持するプラテン２と、プラテン２上を通過するように記録媒体Ｐを搬送する搬送装置３と、プラテン２により支持された記録媒体Ｐに対して光硬化型インク（以下、インクと記載。）により画像を記録する画像記録部４と、画像記録部４にインクを供給するインク供給部５と、各種指示が入力される入力パネル６と、これらを支持するフレーム７とが設けられている。
【００１１】
搬送装置３には、ロール状に巻かれた画像記録前の記録媒体Ｐを回転可能に保持する記録媒体供給部３１と、画像が記録された記録媒体Ｐを巻き取る巻き取り部３２と、記録媒体供給部３１と巻き取り部３２との間で記録媒体Ｐに対して搬送力を付与する搬送部３３とが備えられている。搬送部３３は、画像記録部４に対して搬送方向の下流側に配置されている。
【００１２】
図３は、画像記録部４の概略構成を示す斜視図である。この図３に示すように、画像記録部４には、プラテン２に支持された記録媒体Ｐに対してインクを吐出するインク吐出部８と、記録媒体Ｐに着弾したインクを硬化させるため、当該記録媒体Ｐに対して光を照射する照射部９と、インク吐出部８及び照射部９を支持するキャリッジ１０とが備えられている。
【００１３】
インク吐出部８には、インクを吐出する複数のヘッド部８１が、搬送方向に沿って所定間隔を開けて配列されている。各ヘッド部８１には、記録媒体Ｐに向けてインクを吐出する記録ヘッド８２と、記録ヘッド８２の駆動基板８３と、記録ヘッド８２及び駆動基板８３を支持する基台８４とが設けられている。
【００１４】
記録ヘッド８２はライン式の記録ヘッドであり、搬送方向に直交する方向（前後方向）に延在していて、これによりノズル列も同一方向に沿って配列されている。記録ヘッド８２の後端部には、インク供給部５のインク供給管５１が接続されている。
駆動基板８３は、基台８４から立設する立設片８５に固定されていて、記録ヘッド８２の上方に配置されている。
【００１５】
基台８４の前端部には、取っ手８６が設けられているとともに、後端部には基台８４をキャリッジ１０に対して回動自在とする例えばヒンジ等の回動部８７（図５参照）が設けられている。作業者が取っ手８６を持って基台８４を回動させると、それに伴って記録ヘッド８２及び駆動基板８３も、記録ヘッド８２の後端側にある回動部８７を中心にして回動することになる（図４参照）。回動部８７は各ヘッド部８１に設けられているために、各ヘッド部８１毎に個別に回動させることが可能となっている。ここで、図３では記録ヘッド８２の吐出面８２１（図４参照）とプラテン２とが対向している画像記録状態を示しており、図４では１つのヘッド部８１のみがプラテン２から離間するように回動された状態を示している。これにより交換が必要な記録ヘッド８２のみをプラテン２から離間させることが可能となる。以降、この状態を第１メンテナンス状態と称す。
【００１６】
照射部９には、図３に示すように、各ヘッド部８１から吐出されたインクを記録媒体Ｐに着弾直後に半硬化（ピニング）させるための第１照射部９１と、画像記録部４の下流側に配置されて記録媒体Ｐ上のインクを完全に硬化させるための第２照射部９２（図１，２参照）とが設けられている。
【００１７】
第１照射部９１には、プラテン２上の記録媒体Ｐに対して光を照射する複数の光源９１１（図５参照）と、各光源９１１を覆うカバー部９１２とが設けられている。
【００１８】
光源９１１は、例えば蛍光管であり、前後方向に延在するように形成されている。各光源９１１は、各ヘッド部８１に対して搬送方向の直下流に配置されている。そして、各光源９１１はカバー部９１２により支持されている。
【００１９】
カバー部９１２は、各光源９１１を個別に格納する格納部９１３を備えている。格納部９１３は、各光源９１１の周囲及び上部を覆い、下方のみが開口していて、この開口を介して光源９１１の光が照射されるようになっている。また、格納部９１３は、ヘッド部８１の上方を開放する形状に形成されていて、ヘッド部８１の回動を阻害しないようになっている。
【００２０】
カバー部９１２の前端部には、取っ手９１４が設けられているとともに、後端部にはカバー部９１２をキャリッジ１０に対して回動自在とする例えばヒンジ等の回動部９１５（図５参照）が設けられている。作業者が取っ手９１４を持ってカバー部９１２を回動させると、それに伴って各光源９１１も、カバー部９１２の後端側にある回動部９１５を中心にして回動することになる。ここで、図３は上述したように画像記録状態を示しており、この画像記録状態では各光源９１１がプラテンに対向している。また、図５では、プラテン２上に所定の空間が形成されるようにカバー部９１２及び複数の光源９１１が回動された状態を示している。このようにカバー部９１２が回動すると複数の光源９１１はプラテン２の直上から退避して露出するので、この退避によって形成された空間を当該各光源９１１のメンテナンスに使用することが可能となる。以降、この状態を第２メンテナンス状態と称す。
そして、第１照射部９２を回動するための回動部９１５と、ヘッド部８１を回動させるための回動部８７とは別体であるために、複数の記録ヘッド８２と、複数の光源９１１とは、個別に退避可能となっている。
【００２１】
キャリッジ１０には、図３〜５に示すように複数のヘッド部８１を支持する支持板１１と、支持板１１の周囲を囲んで当該支持板１１を支持する枠体１２とが設けられている。
【００２２】
支持板１１には、各記録ヘッド８２の吐出面８２１を露出させる複数のヘッド用開口（図示省略）と、各ヘッド用開口における搬送方向の下流側に配置されて光源９１１を露出させる複数の光源用開口１１１とが形成されている。光源用開口１１１は、記録媒体Ｐ上のインクに対して確実に光を照射できるように、その前後方向の大きさが、記録ヘッド８２のノズル列長さよりも大きく形成されている。また、支持板１１におけるヘッド用開口の後端側には、各ヘッド部８１の回動部８７が取り付けられている。
【００２３】
支持板１１の前端部には、取っ手１１２が設けられているとともに、後端部には支持板１１を枠体１２に対して回動自在とする例えばヒンジ等の回動部１１３が設けられている。作業者が第２メンテナンス状態から、取っ手１１２を持って支持板１１を回動させると、それに伴って複数のヘッド部８１も一括で、ヘッド部８１の後端側にある回動部１１３を中心にして回動することになる。ここで、図６では、プラテン２上に所定の空間が形成されるように支持板１１及び第１照射部９１が回動された状態を示している。このように支持板１１が回動すると全てのヘッド部８１はプラテン２の直上から退避して、プラテン２上にメンテナンス用の所定空間Ｓ１が形成される。この際、各記録ヘッド８２の吐出面８２１は、ヘッド用開口を介して露出しているので、形成された空間Ｓ１を当該吐出面８２１のメンテナンスに使用することが可能となる。以降、この状態を第３メンテナンス状態と称す。
【００２４】
枠体１２の前端部には、取っ手１２１が設けられている。また、枠体１２の左右方向における両側部には、枠体１２をプラテン２に対して昇降させる一対のアーム部１２２が取り付けられている。アーム部１２２の基端は、フレーム７に回動自在に取り付けられている。作業者が取っ手１２１を持って枠体１２を持ち上げると、これに連動してアーム部１２２も基端を中心に回動して起立する（図７，８参照）。この場合、枠体１２及び支持板１１はプラテン２から離間しており、プラテン２上に所定の空間Ｓ２が形成される（図９参照）。この空間Ｓ２によってプラテン２の表面若しくはプラテン２上の記録媒体Ｐが露出するため、これらのメンテナンスが可能となる。アーム部１２２の起立状態は図示しないロック機構によって維持され、枠体１２及び支持板１１がプラテン２から離間した状態も維持されることになる。以降、この状態を第４メンテナンス状態と称す。
第４メンテナンス状態から、作業者がロック機構を解除して取っ手１２１を持って枠体１２を下げ、枠体１２及び支持板１１をプラテン２に対して接近させると、これに連動してアーム部１２２も基端を中心に回動し転倒する（図３，１０参照）。
【００２５】
インク供給部５は、図１，２に示すように、画像記録部４の後方に配置されている。このインク供給部５には、インクを貯留する複数のインクタンク５２と、複数のインクタンク５２を個別に昇降させる昇降部５３とが備えられている。複数のインクタンク５２のそれぞれは、インク供給管５１を介して、複数の記録ヘッド８２のそれぞれの一端部に連通している。
【００２６】
昇降部５３は、各インクタンク５２に対して周知の昇降機構（図示省略）が設けられている。この昇降機構は手動であっても自動であってもよいが、少なくともプラテン２上から退避している記録ヘッド８２に対しては、当該退避している記録ヘッド８２に対応するインクタンク５２を前記退避している記録ヘッド８２よりも上方に配置することが可能であるとともに、プラテン２上から退避していない記録ヘッド８２に対しては、当該退避していない記録ヘッド８２に対応するインクタンク５２を前記退避していない記録ヘッド８２よりも下方に配置することが可能であるものであることが好ましい。手動式の場合には記録ヘッド８２の状況を確認して、インクタンク５２を昇降させて、自動式の場合には記録ヘッド８２の状態を検出するセンサを設け、このセンサの検出結果に応じてインクタンク５２を自動で昇降させることになる。
【００２７】
このインクジェット記録装置１の記録ヘッド８２は、メンテナンスユニット２００によってメンテナンスが施されるようになっている。図１１は、メンテナンス時におけるインクジェット記録装置１の記録ヘッド８２とメンテナンスユニット２００との位置関係を示す側面図である。図１１に示すように、インクジェット記録装置１が第３メンテナンス状態であるときに、メンテナンスユニット２００は空間Ｓ１内に配置されて、記録ヘッド８２の吐出面８２１を覆うようになっている。メンテナンスユニット２００には、ノズル内のインクを強制的に吸引するための吸引部２１０（図１２参照）と、ノズル内にインクを導入するため記録ヘッド８２側から押し出されたインクを受けるためのインク導入部２２０（図１３参照）と、記録ヘッド８２の吐出面８２１を摺擦するためのワイプ部２３０（図１４参照）とが内蔵されていて、各メンテナンスに応じてそれらが記録ヘッド８２の吐出面８２１に対向するように切り替わる。なお、これら吸引部２１０、インク導入部２２０及びワイプ部２３０が別体のユニットであってもよい。
【００２８】
吸引部２１０には、図１２に示すように、記録ヘッド８２の吐出面８２１に密着するキャップ部２１１と、ノズルから吸引されたインクをキャップ部２１１を介して排出する配管２１２と、配管２１２に接続されて、キャップ部２１１内を負圧にしてノズルからインクを吸引するための吸引ポンプ（図示省略）とが設けられている。インク吸引タイミングとなって、キャップ部２１１が吐出面８２１に密着して吸引ポンプが駆動すると、ノズルからインクとともにゴミ等が吸い出されて、配管２１２を介して排出されることになる。
【００２９】
インク導入部２２０には、図１３に示すように、記録ヘッド８２の吐出面８２１に対向するインク受け部２２１と、インク受け部２２１に貯まったインクを排出する配管２２２とが設けられている。インク導入タイミングとなって、インク受け部２２１が吐出面８２１に対向して、記録ヘッド８２のノズルからインクが押し出されることで、ノズル内にインクが導入される。この際、ノズルから漏れ出たインクはインク受け部２２１により受け止められて、配管２２２から排出されることになる。
【００３０】
ワイプ部２３０には、図１４に示すように、記録ヘッド８２の吐出面８２１に対向するインク受け部２３１と、吐出面８２１を摺擦するワイプ２３２とが設けられている。ワイプタイミングとなって、インク受け部２３１が吐出面８２１に対向すると、ワイプ２３２が吐出面８２１を上方から下方に向けて摺擦する。この際、ワイプ２３２により垂れたインクはインク受け部２３１によって受け止められることになる。
【００３１】
次に、本実施形態の作用について説明する。
待機時においては、図３に示すように各ヘッド部８１及び第１照射部９１は画像記録状態となっている。また、画像記録指示の入力前には作業者は昇降部５３を動作させて、全てのインクタンク５２を、全ての記録ヘッド８２よりも下方に配置して、ノズルの内圧を負圧としておく。これにより、画像記録中にノズルからインクが漏れ出ることが防止される。
【００３２】
そして、入力パネル６に画像記録指示が入力されると、搬送装置３が記録媒体Ｐを間欠搬送し、第１照射部９１及び第２照射部９２が光を照射する。各記録ヘッド８２は、搬送装置３の間欠搬送によって記録媒体Ｐが一旦停止した際に記録媒体Ｐに対してインクを吐出する。記録媒体Ｐに着弾したインクは、記録媒体Ｐが搬送されることによって第１照射部９１からの光が当たると半硬化し、第２照射部９２からの当たると完全硬化する。これにより、インクにより形成された画像が記録媒体Ｐ上に定着することになる。
【００３３】
各ヘッド部８１の記録ヘッド８２を交換する場合、作業者は、画像記録状態から交換対象の記録ヘッド８２を有するヘッド部８１を回動して、図４に示す第１メンテナンス状態にする。その後、作業者は交換対象の記録ヘッド８２を交換する。
【００３４】
第１照射部９１をメンテナンスする場合、作業者は第１メンテナンス状態から、カバー部９１２を回動して、図５に示す第２メンテナンス状態にする。これにより、第１照射部９１の光源９１１が露出するので、当該光源９１１に対してメンテナンスを施すことが可能なる。光源９１１に対するメンテナンスとしては、光源９１１の清掃、交換等が挙げられる。
【００３５】
各ヘッド部８１をメンテナンスする場合、作業者は第２メンテナンス状態から、支持板１１を回動して、図６に示す第３メンテナンス状態にする。これによりプラテン２上に空間Ｓ１が形成されるので、作業者は図１１に示すようにその空間Ｓ１内にメンテナンスユニット２００を挿入して、各記録ヘッド８２の吐出面８２１をメンテナンスユニット２００で覆わせる。メンテナンスユニット２００は、メンテナンス位置に配置されると、記録ヘッド８２に対して各メンテナンスを実行する。なお、このメンテナンス時においては、作業者は昇降部５３を動作させて、ノズル内の背圧がメニスカスを維持しやすい圧力となるように、インクタンク５２の位置を調整しておくことが好ましい。
メンテナンス終了後には作業者はメンテナンスユニット２００を空間Ｓ１から取り出して、画像記録状態に切り替える（図１１中、点線部参照）。
【００３６】
プラテン２の表面若しくはプラテン２上の記録媒体Ｐをメンテナンスする場合、作業者は第１メンテナンス状態から、枠体１２を持ち上げて、図９に示す第４メンテナンス状態にする。これにより、プラテン２上に空間Ｓ２が形成されるので、プラテン２の表面若しくはプラテン２上の記録媒体Ｐに対してメンテナンスを施すことが可能となる。
【００３７】
本実施形態によれば、画像記録時には、記録ヘッド８２の吐出面８２１がプラテン２に対して対向するように記録ヘッド８２を支持しているキャリッジ１０が、記録ヘッド８２のメンテナンス時になると回動し、記録ヘッド８２をプラテン２上から退避させ、当該プラテン２上にメンテナンス用の所定空間Ｓ１を形成してから、記録ヘッド８２に対するメンテナンスが実行されるので、プラテン２上に記録媒体Ｐがあったとしても、記録ヘッド８２の下方にメンテナンス用の空間Ｓ１を確保することができる。これにより、記録媒体Ｐを取り除かなくとも記録ヘッド８２のメンテナンスが可能となる。
また、インク供給部５と接続された一端部側を中心にキャリッジ１０が回動するために、メンテナンス時においては他端部側がプラテン２から離れることになる。つまり、プラテン２が水平に配置されている場合には、インク供給部５と接続された一端部側が他端部側よりも下方に位置することになるため、記録ヘッド８２のノズルからインクが漏れ出て記録媒体Ｐを汚してしまうことを防止することができる。
【００３８】
また、メンテナンス時においては、記録ヘッド８２の吐出面８２１がプラテン２に対して傾斜しているので、インク導入時やインク吸引時に吐出面８２１にインクが付着すると、当該インクが滑り落ちて吐出面８２１を洗浄することにもなる。また、インク導入後やインク吸引後には、滑り落ちにより吐出面８２１上に残留するインクは僅かなものとなる。つまり、ワイプ後の拭き残りを防止することも可能となる。
【００３９】
なお、本発明は上記実施形態に限らず適宜変更可能であるのは勿論である。
例えば、本実施形態では、ライン式の記録ヘッド８２が搬送方向に沿って一列に配列されている場合を例示して説明したが、例えば、図１５，１６に示すように、搬送方向に直交する方向（前後方向）に沿って千鳥状に配列されていてもよい。この場合においても、各記録ヘッド８２ａを支持するキャリッジ１０ａは、後端部側にある回動部１１３ａを中心に回動自在となっていて、図１６に示す通り各記録ヘッド８２ａを画像記録状態及び第３メンテナンス状態に切り替えられるようになっている（図１６では点線部が第３メンテナンス状態を示す）。
【００４０】
また、キャリッジ１０の回動中心は、当該キャリッジ１０の後端部以外の端部であっても構わない。例えば、図１７，１８に示すように、キャリッジ１０ｂの搬送方向下流側の一端部に回動部１１３ｂを配置することなどが挙げられる。この場合、キャリッジ１０ｂは回動部１１３ｂを中心に回動し、図１８に示す通り各記録ヘッド８２ｂを画像記録状態及び第３メンテナンス状態に切り替えられるようになっている（図１８では点線部が第３メンテナンス状態を示す）。なお、この例では、キャリッジ１０ｂ上で、前後方向に沿って複数の記録ヘッド８２ｂが千鳥状で二列配列されている場合を示している。
【図面の簡単な説明】
【００４１】
【図１】本実施形態に係るインクジェット記録装置の概略構成を示す斜視図である。
【図２】図１のインクジェット記録装置の概略構成を示す側面図である。
【図３】図１のインクジェット記録装置に備わる画像記録部の概略構成を示す斜視図である。
【図４】図３の画像記録部の第１メンテナンス状態を示す斜視図である。
【図５】図３の画像記録部の第２メンテナンス状態を示す斜視図である。
【図６】図３の画像記録部の第３メンテナンス状態を示す斜視図である。
【図７】図３の画像記録部の第４メンテナンス状態を示す斜視図である。
【図８】図７の画像記録部とフレームとの関係を示す斜視図である。
【図９】図７の画像記録部とプラテンとの関係を示す斜視図である。
【図１０】図３の画像記録部とフレームとの関係を示す斜視図である。
【図１１】メンテナンス時におけるインクジェット記録装置の記録ヘッドとメンテナンスユニットとの位置関係を示す側面図である。
【図１２】図１１のメンテナンスユニットに搭載された吸引部の概略構成を示す説明図である。
【図１３】図１１のメンテナンスユニットに搭載されたインク導入部の概略構成を示す説明図である。
【図１４】図１１のメンテナンスユニットに搭載されたワイプ部の概略構成を示す説明図である。
【図１５】本実施形態のインクジェット記録装置の変形例を示す上面図である。
【図１６】図１５の変形例の側面図である。
【図１７】本実施形態のインクジェット記録装置の変形例を示す上面図である。
【図１８】図１７の変形例の側面図である。
【符号の説明】
【００４２】
１      インクジェット記録装置
２      プラテン
３      搬送装置
４      画像記録部
５      インク供給部
６      入力パネル
７      フレーム
８      インク吐出部
９      照射部
１０      キャリッジ
１１      支持板
１２      枠体
３１      記録媒体供給部
３２      巻き取り部
３３      搬送部
５１      インク供給管
５２      インクタンク
５３      昇降部
８１      ヘッド部
８２      記録ヘッド
８３      駆動基板
８４      基台
８５      立設片
８６      取っ手
８７      回動部
９１      第１照射部
９２      第２照射部
１１１      光源用開口
１１２      取っ手
１１３      回動部
１２１      取っ手
１２２      アーム部
２００      メンテナンスユニット
２１０      吸引部
２２０      インク導入部
２３０      ワイプ部
８２１      吐出面
９１１      光源
９１２      カバー部
９１３      格納部
９１４      取っ手
９１５      回動部
Ｐ      記録媒体
Ｓ１      空間
【図１】
2009285898.tif 000003
【図２】
2009285898.tif 000004
【図３】
2009285898.tif 000005
【図４】
2009285898.tif 000006
【図５】
2009285898.tif 000007
【図６】
2009285898.tif 000008
【図７】
2009285898.tif 000009
【図８】
2009285898.tif 000010
【図９】
2009285898.tif 000011
【図１０】
2009285898.tif 000012
【図１１】
2009285898.tif 000013
【図１２】
2009285898.tif 000014
【図１３】
2009285898.tif 000015
【図１４】
2009285898.tif 000016
【図１５】
2009285898.tif 000017
【図１６】
2009285898.tif 000018
【図１７】
2009285898.tif 000019
【図１８】
2009285898.tif 000020